(57)【特許請求の範囲】
【請求項１】
電源装置からの電力を接続ケーブルを介して投光器へ送り、この投光器に備えられるランプを点灯するランプの点灯装置において、
前記電源装置に、前記ランプに定電圧を与える定電流制御部を備え、
前記定電流制御部は、前記接続ケーブルに定電流を出力するチョッパ定電流回路と、前記接続ケーブルの電流を検出する電流検出回路と、この検出電流に基づき前記チョッパ定電流回路を制御する制御回路とを有し、
また、電源からの電力を昇圧する変圧器を備え、
前記変圧器は一次巻線に対し投光器電源用二次巻線と制御電源用二次巻線とを有し、
前記投光器電源用二次巻線から得られる電力を前記チョッパ定電流回路側へ送り投光器電源とし、前記制御電源用二次巻線から得られる電力を前記制御回路側へ送り制御電源とし、
前記一次巻線に発振によって電源を供給するコンバータと、
商用電源からの交流を直流に変換して前記コンバータに送る整流回路と、
前記コンバータに接続した保護回路と、
前記コンバータと前記整流回路との間に接続した過電流保護表示灯を備え、
前記電流検出回路が過電流を検出すると、前記保護回路により前記コンバータの発振を停止し、かつ前記過電流保護表示灯を点灯することを特徴とするランプの点灯装置。
【請求項２】
前記保護回路にリセットスイッチを備え、
前記リセットスイッチをＯＮすると、前記コンバータの発振が再起動すると共に、前記過電流保護表示灯が消灯することを特徴とする請求項1に記載のランプの点灯装置。
【請求項３】
前記ランプに集光フィラメントと拡散フィラメントを備え、
前記集光フィラメントと前記拡散フィラメントを手動の配光切換スイッチにより切換可能に構成したことを特徴とする請求項１または請求項2のいずれか1項に記載のランプの点灯装置。
【請求項４】
前記電源装置に第１警報手段及び信号線を開閉する第１信号スイッチを備えると共に、前記投光器に第２警報手段及び信号線を開閉する第２信号スイッチを備え、
前記第１信号スイッチまたは前記第２信号スイッチの操作による前記信号線の開路により前記第１警報手段及び前記第２警報手段を作動可能に構成したことを特徴とする請求項１乃至請求項3のいずれかに記載のランプの点灯装置。
【発明の詳細な説明】
【０００１】
【発明の属する技術分野】
この発明は、ランプの点灯装置に関するものである。
【０００２】
【従来の技術】
ランプの点灯装置には、例えば電源装置からの電力を接続ケーブルを介して投光器へ送り、この投光器に備えられるランプを点灯するものである。このようなランプの点灯装置は、例えば火災時の消火活動並びに、人命救助活動等において使用される。
【０００３】
【発明が解決しようとする課題】
このような火災時の消火活動並びに、人命救助活動等において使用する時には、電源装置を所定位置に運び、投光器を持って活動するが長い接続ケーブルを使用すると電圧が下がるため、投光器のランプが暗くなる。このため、例えば定電圧回路を投光器に備えることが考えられるが、その分投光器の重量が重くなる。また、例えば電源装置に定電圧回路を備え、投光器側の電圧を検出してフィードバック制御を行うこともできるが、投光器側の電圧検出の信号線を設ける分コードの芯数が増えて重量、コストがアップする。
【０００４】
この発明は、かかる点に鑑みてなされたもので、投光器側の重量を重くすることなく、しかも低コストで投光器側の電圧低下を抑えることが可能なランプの点灯装置を提供することを目的としている。
【０００５】
【課題を解決するための手段】
前記課題を解決し、かつ目的を達成するために、
請求項１記載の発明は、
『電源装置からの電力を接続ケーブルを介して投光器へ送り、この投光器に備えられるランプを点灯するランプの点灯装置において、
前記電源装置に、前記ランプに定電圧を与える定電流制御部を備え、
前記定電流制御部は、前記接続ケーブルに定電流を出力するチョッパ定電流回路と、前記接続ケーブルの電流を検出する電流検出回路と、この検出電流に基づき前記チョッパ定電流回路を制御する制御回路とを有し、
また、電源からの電力を昇圧する変圧器を備え、
前記変圧器は一次巻線に対し投光器電源用二次巻線と制御電源用二次巻線とを有し、
前記投光器電源用二次巻線から得られる電力を前記チョッパ定電流回路側へ送り投光器電源とし、前記制御電源用二次巻線から得られる電力を前記制御回路側へ送り制御電源とし、
前記一次巻線に発振によって電源を供給するコンバータと、
商用電源からの交流を直流に変換して前記コンバータに送る整流回路と、
前記コンバータに接続した保護回路と、
前記コンバータと前記整流回路との間に接続した過電流保護表示灯を備え、
前記電流検出回路が過電流を検出すると、前記保護回路により前記コンバータの発振を停止し、かつ前記過電流保護表示灯を点灯することを特徴とするランプの点灯装置。』であり、商用電源に接続される電源装置に定電流制御部を備えることで投光器側の重量を重くすることなく、しかも低コストで投光器側の電圧低下を抑えることができる。また、定電流制御部が接続ケーブルに定電流を出力するチョッパ定電流回路と、接続ケーブルの電流を検出する電流検出回路と、この検出電流に基づきチョッパ定電流回路を制御する制御回路とを有することで、接続ケーブルの電流を検出する簡単な回路構成で投光器側の電圧低下を抑えることができ、しかもスイッチングによる制御でロスが少ないため、発熱が少く、かつ小型化でき、低コストである。また、商用電源からの交流を直流に変換してコンバータの発振出力を変圧器により昇圧して投光器電源と制御電源が得られ、しかも別途制御電源が得られることで、小型のレギュレータで制御回路の電源電圧の調整ができ、しかもレギュレータの熱の発生を軽減することができる。また、電流検出回路が過電流を検出すると、保護回路によりコンバータの発振を停止し、かつ過電流保護表示灯を点灯することで、過電流に対して回路保護を行うと共に、過電流保護表示灯の点灯によって警告することができる。
【０００７】
請求項2記載の発明は、『前記保護回路にリセットスイッチを備え、
前記リセットスイッチをＯＮすると、前記コンバータの発振が再起動すると共に、前記過電流保護表示灯が消灯することを特徴とする請求項1に記載のランプの点灯装置。』で
あり、リセットスイッチの操作によってコンバータの発振が再起動すると共に、過電流保護表示灯が消灯することができる。
【０００８】
請求項3記載の発明は、『前記ランプに集光フィラメントと拡散フィラメントを備え、
前記集光フィラメントと前記拡散フィラメントを手動の配光切換スイッチにより切換可能に構成したことを特徴とする請求項１乃至請求項2のいずれか1項に記載のランプの点灯装置。』であり、必要に応じて集光フィラメントと拡散フィラメントの切換を行うことで適切な照明ができ作業性が向上する。
【０００９】
請求項4記載の発明は、『前記電源装置に第１警報手段及び信号線を開閉する第１信号
スイッチを備えると共に、前記投光器に第２警報手段及び信号線を開閉する第２信号スイッチを備え、
前記第１信号スイッチまたは前記第２信号スイッチの操作による前記信号線の開路により前記第１警報手段及び前記第２警報手段を作動可能に構成したことを特徴とする請求項１乃至請求項3のいずれかに記載のランプの点灯装置。』であり、第１信号スイッチ及び
第２信号スイッチの操作で、投光器側及び電源装置側で同時に異常を知らせ合うことができる。また、使用中に信号線が断線すると、第１警報手段及び第２警報手段が同時に作動して異常を知らせることができる。
【００１０】
【発明の実施の形態】
以下、この発明のランプの点灯装置の実施の形態を説明する。図１はランプの点灯装置の概略構成図、図２は電源装置の側面図、図３は電源装置の断面図、図４は投光器の側面図、図５は投光器の断面図である。
【００１１】
ランプの点灯装置１は、電源装置２からの電力を接続ケーブル３を介して投光器４へ送り、この投光器４を点灯する。電源装置２の装置本体５の内部には、電源ユニット６が配置され、下部にゴム台７が４箇所に設けられ、上部には把手８が２箇所に設けられている。装置本体５の上部には、２箇所の把手８の間に表示灯９及び第１信号スイッチ１０が配置され、２箇所の把手８により表示灯９及び第１信号スイッチ１０が保護される。また、装置本体５の下部には、ブザー１１、過電流保護表示灯１２、制御電源出力表示灯１３及び投光器電源出力表示灯１４が配置されている。電源装置２の装置本体５には、接続ケーブル１５を介して商用電源に接続される。また、装置本体５には、図示しない発電機を備えることもできる。
【００１２】
投光器４の器本体２０の内部には、投光ユニット２１が配置されている。器本体２０は、カーボンファイバー等の強化プラスチックで形成され、軽量でかつ耐熱性を向上することができる。器本体２０の前側には、ランプ２２、反射板２３及びレンズ２４が配置され、レンズ２４の前側はレンズガード１００により保護されている。ランプ２２には、集光フィラメント２２ａと拡散フィラメント２２ｂとが備えられ、この集光フィラメント２２ａと拡散フィラメント２２ｂを手動の配光切換スイッチ２５により切換可能に構成されている。器本体２０の下部には、三脚取付ボス２６及びブザー３０が設けられている。器本体２０の側部には、配光切換スイッチ２５及び表示灯２７が設けられ、上部にはゴム把手２８が取り付けられている。器本体２０の上部には第２信号スイッチ２９が配置されている。
【００１３】
図６はランプの点灯装置の回路図である。電源装置２は、接続ケーブル１５を介して商用電源に接続され、この商用電源からの交流は、ヒューズ２００を介して整流回路３１に送られる。この整流回路３１で直流に変換されてコンバータ３２に送られる。コンバータ３２では、高周波数、例えば３０ＫＨｚで発振し、この出力は変圧器３３により昇圧される。
【００１４】
この変圧器３３は、一次巻線３３ａと、投光器電源用二次巻線３３ｂと制御電源用二次巻線３３ｃとを有している。投光器電源用二次巻線３３ｂから得られる電力をチョッパ定電流回路側へ送り投光器電源とし、制御電源用二次巻線３３ｃから得られる電力を制御回路側へ送り制御電源とする。
【００１５】
即ち、投光器電源用二次巻線３３ｂの出力は整流回路３４に送られ、制御電源用二次巻線３３ｃの出力は整流回路３５に送られ、この整流回路３４及び整流回路３５でそれぞれ直流に整流される。
【００１６】
整流回路３５の出力は、レギュレータ３６で電圧調整され、リレー３７の接片３７ａが閉じると所定電圧を第１警報手段である表示灯９及びブザー１１に送り、表示灯９及びブザー１１を作動させる。レギュレータ３６の出力側には抵抗Ｒ１、制御電源出力表示灯１３が接続され、所定電圧の出力で制御電源出力表示灯１３が点灯する。
【００１７】
整流回路３４の出力は定電流制御部４０に入力され、定電流制御部４０はチョッパ定電流回路４１、電流検出回路４２及び制御回路４３から構成される。チョッパ定電流回路４１には整流回路３４の正出力が入力され、電流検出回路４２には整流回路３４の負出力が入力される。チョッパ定電流回路４１の出力はヒューズ４４を介して電力線４５に送られる。電流検出回路４２は、電力線４６に接続される。このヒューズ４４の出力側と電流検出回路４２との間には、抵抗Ｒ２、投光器電源出力表示灯１４が接続され、投光器電源出力表示灯１４の点灯で投光器側への電力供給を表示する。
【００１８】
電流検出回路４２は、過電流を検出するとフォトダイオードＤ１に電流が流れ、このフォトダイオードＤ１により保護回路５０の双方向サイリスタＳＣＲ１に電流が流れてコンバータ３２のポートａ，ｂが短絡し、コンバータ３２の発振を停止する。また、整流回路３１の負出力とコンバータ３２との間には、抵抗Ｒ３と過電流保護表示灯１２が接続されており、過電流が流れると過電流保護表示灯１２が点灯して知らせる。保護回路５０のリセットスイッチＳＷをＯＮすると、コンバータ３２が再起動すると共に、過電流保護表示灯１２が消灯する。
【００１９】
制御回路４３は、ＰＷＭ回路で構成され、チョッパ定電流回路４１がスイッチング動作することで出力制御を行う。この制御回路４２には、制御電源用二次巻線３３ｃから制御回路４２が発振するための信号が入力される。また、制御回路４２には、レギュレータ３６により所定電圧の制御回路４２の動作のための電源が供給される。電流検出回路４２は、検出電流に基づきスイッチング動作のパルス幅を設定し、この指令が制御回路４２に入力される。制御回路４２は、このパルス幅の指令に基づき発振してチョッパ定電流回路４１をスイッチング動作させて出力制御する。
【００２０】
投光器４には、電力線４５及び電力線４６に接続された回路を有し、この回路には配光切換スイッチ２５及びランプ２２が接続されている。ランプ２２は、集光フィラメント２２ａと拡散フィラメント２２ｂとが備えられ、この集光フィラメント２２ａと拡散フィラメント２２ｂを手動の配光切換スイッチ２５により切換可能であり、必要に応じて集光フィラメント２２ａと拡散フィラメント２２ｂの切換を行うことで適切な照明ができ作業性が向上する。
【００２１】
この配光切換スイッチ２５及びランプ２２と並列に、定電圧回路６０、リレー６１の接片６１ａ及びブザー３０と表示灯２７の並列回路が接続されている。定電圧回路６０は、ランプ２２が切り換えられたり、ランプ玉切れの時、接続点ｃ，ｄの間が高電圧になってブザー３０と表示灯２７が故障するのを防止する。
【００２２】
このように、電源装置２に第１警報手段である表示灯９とブザー１１及び第１信号スイッチ１０を備えると共に、投光器４に第２警報手段であるブザー３０と表示灯２７及び第２信号スイッチ２９を備え、この第１信号スイッチ１０及び第２信号スイッチ２９を信号線７０に配置している。この信号線７０の一端は、電源装置２の整流回路３４の負出力側及び整流回路３５の負出力側に接続され、他端部は、投光器４の定電圧回路６０の出力側に接続され、さらに信号線７０にはリレー３７のコイル３７ｂ及びリレー６１のコイル６１ｂが接続されている。
【００２３】
第１信号スイッチ１０または第２信号スイッチ２９の操作により信号線７０が開路すると、電源装置２の表示灯９及びブザー１１と、投光器４のブザー３０及び表示灯２７が同時に作動し、投光器側及び電源装置側で同時に異常を知らせ合うことができる。また、使用中に信号線７０が断線すると、第１警報手段である表示灯９及びブザー１１、第２警報手段であるブザー３０と表示灯２７が同時に作動して異常を知らせることができる。
【００２４】
このように、電源装置２に、投光器４のランプ２２の両端に定電圧を与える定電流制御部４０を備えることで投光器側の重量を重くすることなく、しかも低コストで投光器側の電圧低下を抑えることができる。また、定電流制御部４０は、接続ケーブル３に定電流を出力するチョッパ定電流回路４１と、接続ケーブル３の電流を検出する電流検出回路４２と、この検出電流に基づきチョッパ定電流回路４１を制御する制御回路４３を備えており、接続ケーブル３の電流を検出する簡単な回路構成で投光器側の電圧低下を抑えることができ、しかもスイッチングによる制御でロスが少ないため、発熱が少く、かつ小型化にでき、低コストである。
【００２５】
【発明の効果】
前記したように、請求項１記載の発明では、商用電源に接続される電源装置に定電流制御部を備えることで投光器側の重量を重くすることなく、しかも低コストで投光器側の電圧低下を抑えることができる。また、定電流制御部が接続ケーブルに定電流を出力するチョッパ定電流回路と、接続ケーブルの電流を検出する電流検出回路と、この検出電流に基づきチョッパ定電流回路を制御する制御回路とを有することで、接続ケーブルの電流を検出する簡単な回路構成で投光器側の電圧低下を抑えることができ、しかもスイッチングによる制御でロスが少ないため、発熱が少く、かつ小型化でき、低コストである。また、商用電源からの交流を直流に変換してコンバータの発振出力を変圧器により昇圧して投光器電源と制御電源が得られ、しかも別途制御電源が得られることで、小型のレギュレータで制御回路の電源電圧の調整ができ、しかもレギュレータの熱の発生を軽減することができる。また、電流検出回路が過電流を検出すると、保護回路によりコンバータの発振を停止し、かつ過電流保護表示灯を点灯することで、過電流に対して回路保護を行うと共に、過電流保護表示灯の点灯によって警告することができる。
【００２７】
請求項2記載の発明では、リセットスイッチの操作によってコンバータの発振が再起動
すると共に、過電流保護表示灯が消灯することができる。
【００２８】
請求項3記載の発明では、必要に応じて集光フィラメントと拡散フィラメントの切換を行うことで適切な照明ができ作業性が向上する。
【００２９】
請求項4記載の発明では、第１信号スイッチ及び第２信号スイッチの操作で、投光器側及び電源装置側で同時に異常を知らせ合うことができる。また、使用中に信号線が断線すると、第１警報手段及び第２警報手段が同時に作動して異常を知らせることができる。
【図面の簡単な説明】
【図１】ランプの点灯装置の概略構成図である。
【図２】電源装置の側面図である、
【図３】電源装置の断面図である。
【図４】投光器の側面図である。
【図５】投光器の断面図である。
【図６】ランプの点灯装置の回路図である。
【符号の説明】
１  ランプの点灯装置
２  電源装置
３  接続ケーブル
４  投光器
２２  ランプ
４０  定電流制御部
４１  チョッパ定電流回路
４２  電流検出回路
４３  制御回路
【図１】
0003992201.tif 000002
【図２】
0003992201.tif 000003
【図３】
0003992201.tif 000004
【図４】
0003992201.tif 000005
【図５】
0003992201.tif 000006
【図６】
0003992201.tif 000007